(57)【要約】【課題】  換気対象空間の空気の流れを多方向に作り出すことで、湿気溜まりや高温部などの家屋にとって悪影響を及ぼす床下の空気を効率的に換気すること。【解決手段】  ルーバ付き換気ファンおよび該換気ファンの作動を制御する制御手段からなり、該制御手段が前記換気ファンに備えるルーバの向きを制御することを特徴とする換気ファンシステム。複数個の前記換気ファンを備え、かつ前記制御手段が前記複数個の換気ファンの作動を同期させることを特徴とする換気ファンシステム。【選択図】図３
2005241114.tif 000002
【特許請求の範囲】
【請求項１】
ルーバ付き換気ファンおよび該換気ファンの作動を制御する制御手段からなり、該制御手段が前記換気ファンに備えるルーバの向きを制御することを特徴とする換気ファンシステム。
【請求項２】
複数個の前記換気ファンを備え、かつ前記制御手段が前記複数個の換気ファンの作動を同期させることを特徴とする請求項１記載の換気ファンシステム。
【請求項３】
前記制御手段に湿度検出手段および／または温度検出手段が電気的に接続されていることを特徴とする前記請求項１または２記載の換気ファンシステム。
【請求項４】
前記換気ファンが相互に無線接続されていることを特徴とする請求項２または３記載の換気ファンシステム。
【請求項５】
前記換気ファンが相互に有線接続されていることを特徴とする請求項２または３記載の換気ファンシステム。
【発明の詳細な説明】
【技術分野】
【０００１】
本発明は、特に床下換気に有効な換気ファンシステムに関する。
【背景技術】
【０００２】
従来の床下換気ファンシステムについて、図１及び図２に基づき説明する。
【０００３】
床下を換気する必要性は床下の高温多湿な環境に起因する。床下の環境は湿度が高くカビや腐朽菌などが発生しやすく、家屋に使用されている木材の腐食が起こりやすい環境であり、かつシロアリが繁殖しやすい環境となっており、このような環境は建物の寿命に大きく関わってくる問題である。そこで、一般の家屋には床下に外気を吸入もしくは床下内の空気を排出するための通気口が設けられ、床下内の空気が高温多湿にならないようにしている。しかし、この通気口を利用した自然循環だけでは多数の部屋や大面積の床を有する家屋などでは自然対流による空気の動きだけでは十分な換気が行われない可能性がある。そこで、図１に示すような床下の通気口に強制的に風を送り込む（もしくは排出する）床下用の換気装置が用いられている。一般的に換気ファン１は建物の基礎２と家屋土台３によって挟まれた通風口２２に設置されており、図中矢印のように外気を吸い込み床下内に送り込むことによって床下内の空気が押し出され、反対側の通気口２３から排出される。これにより床下の換気が行われる。
【０００４】
また、前記換気ファン１は床下通風口に複数設置されることで、より換気効果を高めることが可能となる。このように床下の換気を繰り返し行うことにより、床下の湿度や温度を下げることが可能となり、家屋土台３を構成している木材の含水率を低下させることが可能となり、カビや腐朽菌の発生を抑制し、かつシロアリ等の害虫の発生抑制にも効果を発揮し、家屋の寿命を保つことに貢献することが可能となる。
【０００５】
次に図２を用いて換気ファン１の動作を説明する。換気ファン１は風を発生させるファン本体４、ファン本体４の回転制御を行う制御部６と電源５からの電力を受電し、前記羽部４の駆動電圧とする受電部１２で構成されている。電源５は商用電力系統の交流や自家発電装置などがあるが、換気ファン１に印加可能な定格電圧であるとは限らない。そこで受電部１２で交流１００Ｖを直流１２Ｖに変換するなどして換気ファン１に利用可能な電力としている。
【０００６】
一方、前記制御部６には湿度センサー７やタイマー８を内蔵したものもあり、例えば、換気ファン1を動作させるためにタイマー８で時間管理を行い、ある時刻、一般的には外気湿度が床下の湿度より低くなる時間帯で午前１０時から午後４時頃のまでの間に換気ファン１を動作させることで、湿度の低い外気を床下に流入させる。これにより床下の高温多湿の空気を押し出すことができる。
【０００７】
また、タイマー機能だけで動作させると、雨天時など床下よりも外気のほうが湿度が高い場合には逆効果となるので、通常は湿度センサー７などを用いて換気ファン１を動作させずに屋外の湿度が低い場合のみ動作させるようにしている。
【０００８】
また、換気ファン１の動作を制御する方法の一つとして、太陽電池を電源として用いた床下換気ファンシステムも提案されている。前記システムにおいては、太陽電池が発電しているときにファンを起動させるものであり、太陽電池が発電しているときは太陽光が照射される天候状態であるから、外気の湿度が低いものとみなして換気ファン１が動作を行う。これにより、雨天時を判断する制御部や昼夜を監視するタイマー機能などが不要となり、かつ、ファンを動作させる電気料金も不要と出来る。
【０００９】
また、外気の湿度を監視し、湿度が一定値以下である場合に換気装置を作動させるようにして床下等の湿度を低い状態に保つようにした方法も考案されている（例えば、特許文献１を参照）。
【特許文献１】特開平２０００−２２０８７４号公報
【発明の開示】
【発明が解決しようとする課題】
【００１０】
しかしながら、上述した床下用の換気ファンシステムにおいては、換気ファンから流入してくる外気が単一的な空気の流れで構成されているため、風の通り道に当たる部分は換気効率が高いが、風の通り道から外れたところや、家屋の基礎が入り組んでいるところは十分な換気がされない現象、即ちショートパス現象が発生する。これは床下の温度にも影響を大きく与え、風の通り道に当たる部分の温度は下がるものの、本来下げなければならない床下の高温部に風が当たらないことが発生する可能性がある。
【００１１】
また、従来の床下換気ファンシステムは一度設置するとファンが固定されてしまうため、風の流れる方向、角度は変わらない。このため、床下内の中でも温度の高いところや換気効果が良好なところのばらつきが生じる。
【００１２】
また、既存の建物の通風口にファンが設置されるため、設置した場所によって吸気、排気の通り道がうまく作られない可能性があり、床下換気ファンを設置したとしても送風圧力が足りずに十分な床下換気効果が得られない可能性がある。
【課題を解決するための手段】
【００１３】
上記課題を解決する為に、請求項１に係る換気ファンシステムは、ルーバ付き換気ファンおよび該換気ファンの作動を制御する制御手段からなり、該制御手段が前記換気ファンに備えるルーバの向きを制御することを特徴とする。
【００１４】
かかる構成により、単一的な方向にしか空気の流れを作ることができなかった従来の換気ファンに対し、多方面に空気の流れを作ることができ、湿気溜まりや高温部などを集中的に換気できることと、風の通り道を広範囲に設けることが可能となり、従来よりもさらに効率的な換気を行うことが可能になる。
【００１５】
また、請求項２に係る換気ファンシステムは、複数個の前記換気ファンを備え、かつ前記制御手段が前記複数個の換気ファンの作動を同期させることを特徴とする。
【００１６】
かかる構成によれば、よどんだ空気を排出する際に、風の通り道を送り側と受け側で多角度的に作ることができ、風の通り道にかかっていないため、湿気溜まりや高温部ができてしまうという状態を回避することができる。
【００１７】
また、請求項３に係る換気ファンシステムは、前記駆動制御手段に湿度検出手段および／または温度検出手段が電気的に接続されていることを特徴とする。
【００１８】
かかる構成によれば、湿度や温度を測定することにより、効率的に湿気溜まりや高温部を見つけ出し、ルーバを最も湿度が高い空気を押し出す状態とすることで、効率的な換気が可能となり、さらに、換気の必要性を判断し、これにより換気が必要なときのみ動作することが可能となる。
【００１９】
また、請求項４に係る換気ファンシステムは、前記複数個の換気ファンが相互に無線接続されていることを特徴とする。
【００２０】
かかる構成によれば、施工が容易になるという利点がある。
【００２１】
また、請求項５に係る換気ファンシステムは、前記複数個の換気ファンが相互に有線接続されていることを特徴とする。
【００２２】
かかる構成によれば、換気ファン同士が直角に設置され赤外線通信が困難な場合にも通信を行うことができる。また、有線であるためノイズや外乱に対して強く、誤動作を防ぐことができ、信頼性の高い換気ファンシステムを実現することが可能となる。
【発明の効果】
【００２３】
本発明の換気ファンシステムによれば、換気対象の空間における空気の流れを多方面に作ることが可能となり湿度溜まりや高温部の空気をよどみなくなく、効率的に外部に排出することが可能となる効果がある。
【００２４】
また、湿度や温度を測定することにより、効率的に湿気溜まりや高温部を見つけ出し、ルーバを最も湿度が高い空気を押し出す状態とすることで、効率的な換気が可能となる。
【００２５】
さらに、湿度や温度を測定することにより、換気の必要性を判断し、これにより換気が必要なときのみ動作することが可能となるため、無駄なファンの稼働時間が低減することという効果、それによる換気ファンシステムの長寿命化ならびに使用電力量が抑えられるという節電効果がある。
【発明を実施するための最良の形態】
【００２６】
以下に、本発明に係る床下用の換気ファンシステムの実施形態について、模式的に図示したに基づき詳細に説明する。図３は床下に換気ファンを取り付けた様子を示す透視側面図、図４は透視平面図である。
【００２７】
図３に家屋の床下の基礎に開けられた通気口に換気ファンを設置した状態を示す透視側面図を示す。一般に住宅の床下には基礎２と家屋土台３の間に、基礎２の一部に穴を開けて通風口２２が設けられている。この通風口２２（２２ａ，２２ｂ）に換気ファン９（９ａ、９ｂ）を設置する。換気ファン９は商用電力系統などの交流や、太陽電池などの直流で駆動するモーターに送風用の羽根を取り付けたものであり、使用するモーターには主にブラシレスモーターなどの部品の消耗が少ないものが用いられ、長期の使用に耐えられるようにする。なお、モーターへの供給電力が交流電源の場合は交流モーターを用いる場合以外に、整流部を持たせて直流モーターに供給ようにしても良い。特に直流モーターを用いた場合には供給電源の極性を逆転させることによってモーターの回転方向を反転させることが可能であるので、空気の吸気と排出の方向を任意に変更することができ、吸気口用と排気口用を１種類の換気ファンで兼用することができ好適である。
【００２８】
換気ファン９の空気排出口（または吸気口）にはルーバ１０が設けられており、モーターと羽根の回転によって生み出された風の流れる方向を任意に設定できるようにしている。前記ルーバ１０の方向は図３のように床下の上下方向に対して可動可能とする他に、図４のように左右に可動可能とする方法もある。
【００２９】
前述のような構造とした換気ファン９を吸気用の換気ファン９ａと排気用の換気ファン９ｂに分けて一対とし、図３に示すように換気ファン９ａにより外気を取り込んで、温度が上昇しやすい床下内の上方の空間、すなわち家屋土台３付近へ集中的に空気の流れを送り込むことによって床下内の空気が攪拌され温度が低下するので、家屋内の冷房効果が向上する。そして攪拌された空気は排出用の換気ファン９ｂによって屋外に排出されるのであるが、このとき前記換気ファン９ｂのルーバ１０を比較的熱量の多い空気がある上方空間（家屋土台３方向）へ向けておくことにより、換気ファン９ａで攪拌される以外にも積極的に熱気を吸引、排出される。さらに前記換気ファン９ａの出す風の流れによって上方に溜まっていた熱気が換気ファン９ｂ側に流れてくるので、吸引効果はさらに向上する。
【００３０】
同様に、図４に示すように、換気ファン９ｃで左方向へ送出された空気の流れにより、床下の左方の空気は効果的に攪拌されるが、右方の空気は送出された空気の流速の低下により十分に攪拌が行われない。そこで換気ファン９ｄのルーバ１０を床下の右方に向けて吸引を行うことにより空気の流れが生じ、床下右方の熱気も排出されるのである。このとき、ルーバ１０を上下左右に計４枚設けて、排出もしくは吸入する空気の方向を左方だけでなく上方にも向けるようにして、空気の排出、吸入が左方上方になるようにすれば、より効果的な攪拌・熱排出行うことができる。また、換気ファン９に温度センサーや湿度センサーを設けて、ルーバ１０が高温や多湿な方向に向けて自動的に追従するようにすれば、実際に熱、湿気の多く溜っている場所を優先して換気しようとするので、最適なルーバ方向を設定できる。
【００３１】
なお、吸入側と排出側のファン台数は必ずしも１対１である必要はなく、家屋の部屋の間取り等の構成に合わせて設置すればよい。
【００３２】
次に図５、図６を用いて床下の温度および湿度を検知して自動的にルーバ方向を変更する換気ファン９の動作について説明を行う。なお、ルーバ１０の動きによる風の流れる様子に関しては図３および図４の説明（２基の換気ファンを使用）に基づくものとして特に図示しないものとする。
【００３３】
換気ファン９は交流モーターもしくは直流モーターと、前記モーターによって回転する羽根と、可動可能なルーバによって構成されるファン本体４と、前記ファン本体４の回転制御とルーバの角度および方向制御を行う制御部１１（制御手段）と、外部からの供給電力を換気ファンで利用可能なように調整する受電部１２から成る。前記制御部１１には制御方法を指示もしくは選択するための入力部１８を接続して設定条件を詳細に定められるようにしている。
【００３４】
制御部１１は、換気ファン９を通る温度や湿度を測定する温度湿度計測部１３（温度計測手段、湿度計測手段）、ルーバ１０の角度を制御するルーバ制御部１４、お互いの換気ファンと同期を取るために信号の送受信を行う送受信部１５、換気ファン９のファン本体４の回転数や動作を制御する駆動制御部１６からなる。制御部１１の駆動電力もファン本体４を駆動させる電源５から受電する。さらに制御部１１の様々な設定を行うために入力部１８を外部、または換気ファン９の近辺に設ける。
【００３５】
湿度温度計測部１３は1つの制御部に1つ設置されており、これにより床下の温度と湿度が確認できる。具体的にはまず、換気ファン９が起動した際に、一度、吸気を行い外気の温度と湿度を測定する。これにより、外気と床下の温度と湿度の差を求め、外気の方の温度や湿度が高かった場合は、換気動作を行わない。また他に、外気を吸気したときに建物の立地条件や日の当たり具合などの外的要因で、床下通風口周辺の環境が換気ファンごとに異なることがある。そのようなときには、一対の換気ファン同士でどちらの外気側の湿度が高いかを情報交換し、湿度が低いほうの外気側に設置してある換気ファンを吸気、逆に湿度が高い方に設置してある換気ファンを排気側とする判断基準とする。
【００３６】
また、ルーバ１０の角度によって排出側の換気ファンに入ってくる床下の空気の質が異なってくる。そこで、ルーバ１０の角度や方向によって、床下の空気の温度や湿度を判定し、最も湿度の高い状態で、換気を行うことによって、効果的に湿度や温度の高い空気を排出することが可能となる。このように、温度湿度計測部１３では外気と床下の空気の湿度や温度を総合的に判断する。
【００３７】
次にルーバ制御部１４はルーバ１０の角度を制御する部分であり、ルーバ１０は換気ファン９に対して上下左右方向に各１枚ずつ、計４枚のルーバ１０を持つ。そして換気ファン１が起動したと同時にルーバ１０の角度をそれぞれ制御する。ここで、ルーバ１０はそれぞれ小型サーボモータ等のアクチュエータ機構によって動作される。そして、この角度は一対になっているもう一つの換気ファンによってお互いに同期、非同期となるように制御される。例えば、温度湿度計測部１３によって見つけられた換気ファン間の温度および湿気の差異は、いずれかの方向または角度に攪拌されない空気があることを示すものであるので、換気ファン９同士が同期を取りルーバ１０が上下方向なら同じ向き、左右方向ならばお互い逆向きにルーバ１０を向ける。これによりお互いのルーバ１０の向きが風の道を作る向きとなり、各々が発した風同士がぶつかって風の攪拌が効果的に行われないといった不具合を回避できる。そして、空気の攪拌を行っても効果が確認できない場合には送風（吸入）方向が適当でないと判断し、順次他の角度および方向への送風に変更して効果が現れるところを探し出すようにする。このようにして効果が顕著な角度および方向を確認した後は、その位置を記憶しておき、主としてその設定を基準とする。
【００３８】
上述の動作を実現するためにはお互いの情報をやりとりする必要があり、これを行うのが送受信部１５である。送受信部１５は２台で一対の換気ファンまたは複数で1つの換気ファンのお互いの動作や周辺環境情報を送受信する部分である。この送受信部で伝達される情報は、温度湿度計測部１３で測定された各温度、湿度、ルーバ制御部１４で決められたルーバ１０の角度、ファンの起動状態が挙げられる。送受信される情報を基に一対の換気ファン９は同期して動作すべきか、非同期で動作すべきかを的確に判断し、効率よく、床下の換気を行うことが可能となる。この送受信部は送信と受信が可能である。情報伝達方式としては、無線と有線方式に大別される。無線方式には電波式や赤外線通信が考えられるが、床下のような太陽光の無い閉鎖された場所では、一対の換気ファン９が一直線所になく、また、間に障害物が在る状態であっても反射により十分な通信状態を得ることが可能である。また、無線方式では信号線を物理的に接続する必要が無いので施工が容易であり、既設住宅に設置する場合では有効である。一方、有線で物理的に信号線を接続する方法はノイズや外乱に強く、誤動作が無線に比べて低くなる。
【００３９】
駆動制御部１６においては、ファン本体４の駆動制御を行う。駆動制御部１６は電源５が交流か直流によって異なる。例えば、電源５が交流の場合は、タイマー１７を有するものとし、このタイマー１７により、日中の空気が一般的に乾いている時間、例えば午前１０時から午後４時頃まで起動するようにする。ただし、時間だけの判断では雨天時などの外気の湿度の方が床下の湿度よりが高いときに吸気を行ってしまい逆効果になるため、温度湿度計測部１３の判断結果とタイマー１７を比較して、ファン本体４を駆動しても問題ないと判断したときに駆動するようにする。また、電源５が太陽電池などの直流の場合においても同様である。例えば、太陽電池を用いた場合は、太陽電池の出力が気象状況判断の意味を持っている。そのため太陽電池の出力がある閾値を超えたときに動作するように設定した場合は、太陽電池の出力度合いに応じて、ファン本体４を駆動させる。なお、太陽電池が電源だった場合も温度湿度計測部１３の判定結果がファン本体４を駆動させることに妥当であると判断した場合にのみファン本体４を動作させる必要がある。例えば、日中で雨天時から晴天に天候が変化した場合に、外気の方がまだ床下よりも湿度が高い場合がある。そのため、温度湿度計測部１３の判断結果が重要な要素となる。また、ファンの回転方向の制御も駆動制御部１６の役割である。起動時にどちらの換気ファン１が吸気用、排気用となるかの判断結果を受けて、換気ファン１が吸気動作か排気動作を行う。なお、吸気と排気動作が一定ではないことにより、換気ファン１の給気口のごみの付着度合いが低くなる。例えば常に吸気の換気ファン１だとごみが溜まるが吸気と排気を交互にすることによってごみの付着を抑制する効果が期待できる。
【００４０】
入力部１８は様々な設定を行うことができる。例えば、駆動制御部１６のタイマー１７の設定や動作時間設定がある。入力部１８は換気ファン９に有線で直接設置してもよいが、無線などの無線通信方式で通信を行なうこととしても良い。また、無線ＬＡＮや有線ＬＡＮと接続して、パソコンなどを用いて一括管理を容易に行うことが可能になる。現在、パソコンは一般家庭にだいぶ普及してきている。そのため、パソコンを用いた制御方法も十分妥当性や有効性が認められる。
【００４１】
具体的な方法を２台で一対の床下の換気ファンシステムを構成する場合で、系統電源の交流で換気ファン９が動作する場合について説明する。まず、換気ファン９の起動はタイマー部１７の時間を受けて開始する。前記タイマー部１７は駆動制御部１６に内蔵されている。そして、空気が一般的に乾燥している日中に動作するように設定する。このタイマー部１７の設定は制御部１１の入力部１８によって行われる。そして、２台の換気ファン９は吸気側と排気側に分かれる。吸気と排気を分ける方法としては、お互いの制御部に設置してある温度湿度計測部１３によって換気ファン近辺の外気の温度と湿度の状態を測定する。この結果、湿度が低いほうを吸気側ファン、湿度の高いほうを排気側ファンとする。この結果はお互い制御部１１の中の送受信部１５でデータの通信を行い判定が行われる。なお、この測定と同時に外気の湿度がある閾値以上の値だった場合は、吸気、排気の動作を行わないようにする。なお、この閾値に関しても入力部１８によって利用者の要求に応じた設定が可能となっている。
【００４２】
次に、お互いのファンが吸気と排気のどちらの役割を果たすかが決まった後に、吸気と排気を行う。このとき、送受信部１５により同時に吸気と排気を行う同期をとる。また、ルーバ１０の角度をお互いのファン同士で、同じ風の流れを作るような向きになるように制御する。この角度を制御する部分はルーバ制御部１４である。例えば、床下の上部の空気を換気したいときにはお互いのルーバ１０を上に向ける。左右方向の換気を行いたい場合においてはお互いのファンは逆方向、つまり片方が右側にルーバ１０が向いていた場合には、もう片方は左側を向き、風の流れを繋げるようにルーバ１０を制御する。このルーバ１０の角度が制御できることにより、従来のルーバが無い床下換気ファンと比べ、広角度に空気の流れを作ることができ、風が通らなかったため換気が行われない部分にできる湿気溜まりや高温部を取り除くことが可能となる。そして、ルーバ１０の角度を吸気側と排気側で同期が取れることがさらに、換気効率を高めている。これは床下でよどんだ空気が吸気側と排気側がルーバ１０で作られた風の通り道を通ることで、確実によどんだ空気を排出することが可能になるためである。
【００４３】
また、このルーバ１０の角度を変えることで、床下の各部分での空気の状態がわかる。ルーバ１０の角度を変えることによって押し出された空気の状態は、排気側ファンの湿度温度計測部１３によって検出される。この検出結果により押し出されてきた空気の状態を把握することができる。この機能を有することによって、床下において湿度が高いところや温度が高いところを集中して換気できるようにルーバ１０の角度を設定し、湿気溜まりや温度の高いところを、局地的にさらに効率よく換気を行うことが可能となる。
【００４４】
また、逆に吸気と排気のルーバ１０の角度の同期をはずすことによっても効果が期待できる。本来ならば、吸気側と排気側のルーバ１０を同期させて風の通り道を作り、その通り道上の床下のよどんだ空気を換気することが目的ではあるが、風の通り道になりにくい部分が存在することもある。例えば、床下の角の部分が上げられる。角の部分には風が当たりにくく、また、風の通り道はほぼ直線状に作られるため、直角に曲がる部分にとっては不向きである。そのような箇所では、先ほど提案した吸気側と排気側によって風の通り道を作る方法はあまり効果的ではない。そこで、吸気側ファンと排気側ファンの同期をはずし、乱流を作ることにより、普段は風が通らない部分にも風を当てることにより、湿気溜まりを分散させることが可能となる。これにより、従来のルーバ１０が無い床下換気ファンでは困難だった、風の通らない部分へ風を当てることがルーバ１０を用いることで可能となる。
【００４５】
さらに効果的に乱流を起こす方法は、お互いのファンを吸気モードに変えることにより、床下に空気が多く流れ込むことが可能となる。これによって、お互いのファン同士が吸気と排気に分かれているときより、より効果的に乱流が起こる。この乱流を発生させた後にお互いのファンを排気とすることも可能である。このようにお互いの吸気、排気を同じタイミングで行うことにより、広域に対して、換気を行うことができる。
【００４６】
このような吸気と排気のルーバ１０の向きの同期をはずすタイミングやお互いのファンの吸気、排気を同期させるタイミングは、ルーバ１０の向きが同期し、ファンが吸気と排気に分かれている状態で、換気を終了した後に行うことが最適である。なお、換気終了の判定は、換気を開始してから、上下左右全ての方向において、湿度がどの角度においても一定になっている、または目標の閾値よりも低くなっている状態が確認できた状態が換気終了である。床下の空気の状態確認は制御部１１に設置されている温度湿度計測部１３によって判定される。ルーバ１０が同期し、ファンが吸気と排気に分かれた状態での換気が終了した後に、ルーバ１０が非同期、ファンが２つとも吸気する状態にすることで、先に換気したときに風の通り道にあたらなかった部分の換気を行うことができる。
【００４７】
なお、今回はファン２台で一対の床下の換気ファンシステムを例にとり説明を行ったが、本発明はこれに限定されるものではなく、複数台の床下換気ファンを用いた場合や様々な換気ファンシステムにおいて、本発明の要旨を逸脱しない範囲で適宜変更し実施が可能である。
【図面の簡単な説明】
【００４８】
【図１】従来の換気ファンシステムの構成を模式的に説明する概略構成図である。
【図２】従来の換気ファンシステムのファンの構造を説明する概略構成図である。
【図３】本発明に係る換気ファンシステムにおける実施形態を模式的に説明する一部透視側面図である。
【図４】本発明に係る換気ファンシステムにおける実施形態を模式的に説明する一部透視平面図である。
【図５】本発明に係る換気ファンシステムにおける換気ファンの実施形態を模式的に説明する概略構成図である。
【図６】本発明に係る換気ファンシステムにおける換気ファンの制御部の実施形態を模式的に説明する概略構成図である。
【符号の説明】
【００４９】
１：換気ファン
２：基礎
３：家屋土台
４：ファン本体
５：電源
６：制御部
７：温度湿度センサー
８：タイマー
９、９ａ〜９ｄ：換気ファン
１０：ルーバ
１１：制御部（制御手段）
１２：受電部
１３：温度湿度計測部
１４：ルーバ制御部
１５：送受信部
１６：駆動制御部
１７：タイマー部
１８：入力部
２２、２２ａ、２２ｂ：通気口
【図１】
2005241114.tif 000003
【図２】
2005241114.tif 000004
【図３】
2005241114.tif 000005
【図４】
2005241114.tif 000006
【図５】
2005241114.tif 000007
【図６】
2005241114.tif 000008